(57)【要約】【課題】切断により単票とされる記録媒体の搬送不良が生じた状態で記録動作が実行されるのを抑制することができる記録装置及び記録方法を提供する。【解決手段】プリンター１１は、搬送経路ＴＲに沿ってシートＳを搬送方向Ｘの上流側から下流側に搬送する搬送装置１４と、搬送経路ＴＲ上の切断位置Ｐｃにおいて、搬送方向Ｘが長手方向となる長尺状のシートＳにおける搬送方向Ｘの下流側となる先端側の一部を切断して単票のカットシートＣＳとするカッター４１と、搬送方向Ｘにおいて切断位置Ｐｃよりも下流側となる記録位置Ｐｄにおいて、カットシートＣＳに対して記録を施す印字ヘッド４５と、搬送方向Ｘにおいて記録位置Ｐｄよりも下流側となる検出位置ＰｓでシートＳの有無を検出する用紙検出センサー４６と、用紙検出センサー４６の検出結果に基づいて、印字ヘッド４５の制御を行うコンピューターと、を備える。【選択図】図１
2012025074.tif 000002
【特許請求の範囲】
【請求項１】
搬送経路に沿って記録媒体を搬送方向の上流側から下流側に搬送する搬送手段と、
前記搬送経路上の切断位置において、前記搬送方向が長手方向となる長尺状の記録媒体における前記搬送方向の下流側となる先端側の一部を切断して単票の記録媒体とする切断手段と、
前記搬送方向において前記切断位置よりも下流側となる記録位置において、前記単票となった記録媒体に対して記録を施す記録手段と、
前記搬送方向において前記記録位置よりも下流側となる検出位置で前記記録媒体の有無を検出する記録媒体検出手段と、
前記記録媒体検出手段の検出結果に基づいて、前記記録手段の制御を行う制御手段と、を備えることを特徴とする記録装置。
【請求項２】
前記記録媒体検出手段は、前記切断手段が切断を行った後に、前記単票となった記録媒体の検出を行い、
前記制御手段は、前記記録媒体検出手段により前記検出位置に前記記録媒体があることが検出された場合に、前記記録手段に記録を開始させることを特徴とする請求項１に記載の記録装置。
【請求項３】
前記搬送方向において、前記切断位置と前記検出位置との離間距離よりも、前記単票となった前記記録媒体の搬送方向に沿う長さが短い場合に、
前記制御手段は、前記単票となった記録媒体の搬送量が、前記離間距離と前記単票の長さとの差以上になったときに、前記記録媒体検出手段の検出結果に基づいて前記検出位置に前記記録媒体があるか否かを判断することを特徴とする請求項１又は請求項２に記載の記録装置。
【請求項４】
前記単票となった記録媒体は、その先端側に余白領域が設けられるとともに後端側に記録が施される記録領域が設定され、
前記記録媒体検出手段は、前記搬送方向において前記記録位置から前記検出位置までの距離が前記余白領域の長さよりも短くなるように配置されることを特徴とする請求項１〜請求項３のうちいずれか一項に記載の記録装置。
【請求項５】
搬送経路上の切断位置において、搬送方向が長手方向となる長尺状の記録媒体における前記搬送方向の下流側となる先端側の一部を切断して単票の記録媒体とする切断ステップと、
前記単票となった記録媒体を前記搬送経路に沿って前記搬送方向に搬送する搬送ステップと、
前記記録媒体の有無を前記搬送方向において前記切断位置よりも下流側となる検出位置で検出する検出ステップと、
該検出ステップで前記記録媒体があることが検出された場合に、前記搬送方向において前記切断位置と前記検出位置との間となる記録位置で前記単票となった記録媒体に対して記録を施す記録ステップと、を備えることを特徴とする記録方法。
【発明の詳細な説明】
【技術分野】
【０００１】
本発明は、記録装置及び記録方法に関する。
【背景技術】
【０００２】
従来から、記録装置の一種であるプリンターには、長尺状の記録媒体（一例として、写真用紙を巻き重ねたロール紙）の表面に対して、用紙の長手方向に間隔（余白）をあけつつ複数の画像を印刷するとともに、余白部分でロール紙を切断することで、所定のプリントサイズの写真印刷を行うものがあった（例えば、特許文献１）。
【０００３】
特許文献１のプリンターは、インクジェット方式で表面印刷を行うプリントユニットと、用紙を切断するカッターユニットと、ドットインパクト方式で裏面印刷を行う裏面印字ユニットとを備えている。そして、表面に写真印刷が施された用紙をカッターユニットで切断して所定のプリントサイズの単票紙にした後、その裏面側に整理番号などを印字するようになっていた。
【先行技術文献】
【特許文献】
【０００４】
【特許文献１】特開２００９−３４９３０号公報
【発明の概要】
【発明が解決しようとする課題】
【０００５】
ところで、プリントユニットで表面印刷を行う場合には、搬送方向においてプリントユニットよりも上流側に配置された先端検出センサーで用紙の先端を検出し、所定量の紙送りによって頭出しを行った後に印刷を開始するのが一般的であった。
【０００６】
しかし、裏面印字ユニットで印字を行う場合には、その前の工程で用紙の切断を行うために、切断不良などに起因して搬送が滞ったり、切断に伴って用紙の巻きぐせが現れて紙詰まりが生じたりすることがあった。そのため、裏印字ユニットの上流側で用紙を検出して頭出しのために紙送りを行っても、用紙の切断に起因する搬送不良が生じることがあった。
【０００７】
そして、搬送不良によって用紙が搬送されていない状態で裏面印字ユニットが印字動作を行うと、インクリボンがプラテンに押しつけられる空打ちが生じ、プラテンやその後に搬送されてくる用紙が汚染されてしまうという問題があった。なお、こうした問題は、裏面印字やドットインパクト方式の印字（記録）に限らず、切断によって単票とされた用紙に対して記録を行う場合に共通するものである。
【０００８】
本発明は、上記課題を解決するためになされたものであり、その目的は、切断により単票とされる記録媒体の搬送不良が生じた状態で記録動作が実行されるのを抑制することができる記録装置及び記録方法を提供することにある。
【課題を解決するための手段】
【０００９】
上記目的を達成するために、本発明の記録装置は、搬送経路に沿って記録媒体を搬送方向の上流側から下流側に搬送する搬送手段と、前記搬送経路上の切断位置において、前記搬送方向が長手方向となる長尺状の記録媒体における前記搬送方向の下流側となる先端側の一部を切断して単票の記録媒体とする切断手段と、前記搬送方向において前記切断位置よりも下流側となる記録位置において、前記単票となった記録媒体に対して記録を施す記録手段と、前記搬送方向において前記記録位置よりも下流側となる検出位置で前記記録媒体の有無を検出する記録媒体検出手段と、前記記録媒体検出手段の検出結果に基づいて、前記記録手段の制御を行う制御手段と、を備える。
【００１０】
この構成によれば、記録媒体の切断によって搬送不良が発生すると、検出位置に記録媒体が到達せず、記録媒体検出手段によって記録媒体が検出されないので、記録媒体検出手段の検出結果に基づいて記録媒体の搬送不良を検出することができる。また、記録位置は検出位置よりも搬送方向の上流側に位置するので、検出位置に記録媒体があることが検出された場合には、空打ちすることなく、記録媒体に記録を施すことができる。したがって、切断により単票とされる記録媒体の搬送不良が生じた状態で記録動作が実行されるのを抑制することができる。
【００１１】
本発明の記録装置において、前記記録媒体検出手段は、前記切断手段が切断を行った後に、前記単票となった記録媒体の検出を行い、前記制御手段は、前記記録媒体検出手段により前記検出位置に前記記録媒体があることが検出された場合に、前記記録手段に記録を開始させる。
【００１２】
この構成によれば、記録媒体検出手段は切断手段が切断を行った後に検出を行うので、制御手段は、搬送方向における単票の長さにかかわらず、記録媒体の検出を契機として記録を開始させることができる。例えば、搬送方向において、単票の長さが切断位置と検出位置との離間距離以上の長さである場合には、記録媒体は切断前であっても記録媒体検出手段によって検出されうる。しかし、単票の長さが切断位置と検出位置との離間距離よりも短い場合には、記録媒体の切断時に、単票となった記録媒体は記録媒体検出手段によって検出されない。したがって、切断手段の切断後に単票となった記録媒体の検出を行うようにすれば、単票の長さにかかわらず、同様の制御で記録手段に記録を開始させることができる。
【００１３】
本発明の記録装置は、前記搬送方向において、前記切断位置と前記検出位置との離間距離よりも、前記単票となった前記記録媒体の搬送方向に沿う長さが短い場合に、前記制御手段は、前記単票となった記録媒体の搬送量が、前記離間距離と前記単票の長さとの差以上になったときに、前記記録媒体検出手段の検出結果に基づいて前記検出位置に前記記録媒体があるか否かを判断する。
【００１４】
この構成によれば、単票となった記録媒体の搬送量が、離間距離と単票の長さとの差以上になっても記録媒体が検出されなければ、搬送不良が生じていると判断して記録手段の記録動作を中止させることができる。したがって、搬送方向において切断位置と検出位置との離間距離よりも単票の長さが短い場合にも、記録媒体の搬送不良が生じた状態で記録動作が実行されるのを抑制することができる。
【００１５】
本発明の記録装置において、前記単票となった記録媒体は、その先端側に余白領域が設けられるとともに後端側に記録が施される記録領域が設定され、前記記録媒体検出手段は、前記搬送方向において前記記録位置から前記検出位置までの距離が前記余白領域の長さよりも短くなるように配置される。
【００１６】
この構成によれば、記録位置から検出位置までの距離が余白領域の長さよりも短いので、検出位置で記録媒体が検出された後に、検出位置から上流側に離間した記録位置で記録を開始しても、記録領域の先端側から記録を行うことができる。
【００１７】
上記目的を達成するために、本発明の記録方法は、搬送経路上の切断位置において、搬送方向が長手方向となる長尺状の記録媒体における前記搬送方向の下流側となる先端側の一部を切断して単票の記録媒体とする切断ステップと、前記単票となった記録媒体を前記搬送経路に沿って前記搬送方向に搬送する搬送ステップと、前記記録媒体の有無を前記搬送方向において前記切断位置よりも下流側となる検出位置で検出する検出ステップと、該検出ステップで前記記録媒体があることが検出された場合に、前記搬送方向において前記切断位置と前記検出位置との間となる記録位置で前記単票となった記録媒体に対して記録を施す記録ステップと、を備える。
【００１８】
この構成によれば、切断ステップに伴って搬送不良が発生すると、検出位置に記録媒体が到達せず、検出ステップで記録媒体が検出されないので、該検出ステップでの検出結果に基づいて記録媒体の搬送不良を検出することができる。また、記録位置は検出位置よりも上流側に位置するので、検出ステップで検出位置に記録媒体があることが検出された場合には、記録ステップで空打ちすることなく、記録媒体に記録を施すことができる。したがって、切断により単票とされる記録媒体の搬送不良が生じた状態で記録動作が実行されるのを抑制することができる。
【図面の簡単な説明】
【００１９】
【図１】実施形態のプリンターの概略構成を示す断面図。
【図２】実施形態のプリンターの電気的構成を示すブロック図。
【図３】記録処理ルーチンを示すフローチャート。
【図４】（ａ）は短いカットシートに対する裏面印字について説明するための模式図で、（ｂ）は（ａ）におけるカットシートの裏面図。
【図５】（ａ）は長いカットシートに対する裏面印字について説明するための模式図で、（ｂ）は（ａ）におけるカットシートの裏面図。
【発明を実施するための形態】
【００２０】
以下、本発明を記録装置の一種であるインクジェット式プリンター（以下、「プリンター」と表記する）に具体化した実施形態について説明する。
図１に示すように、プリンター１１は、本体ケース１２と、長尺状の記録媒体としてのシートＳをロール状に巻き重ねたロール紙ＲＳの状態で保持する保持部１３と、排紙部１２ａと、制御装置１００（図２参照）とを備えている。また、本体ケース１２には、操作パネルＰＮが設けられている。操作パネルＰＮは、ユーザーが各種操作を行うためのボタンと、操作状況や操作結果などが表示される液晶画面とを有している。
【００２１】
プリンター１１は、本体ケース１２内に、シートＳを保持部１３から排紙部１２ａに向かって延びる搬送経路ＴＲ（図１においては二点鎖線で示す）に沿って、搬送方向Ｘの上流側から下流側に搬送する搬送手段としての搬送装置１４を備えている。また、本体ケース１２内には、シートＳの搬送経路ＴＲに沿って、インクジェット方式の第１印刷部１５と、切断部１６と、ドットインパクト方式の第２印刷部１７と、乾燥装置１８と、搬送装置１４の一部を構成するカール矯正部１９とが設けられている。
【００２２】
そして、シートＳは、第１印刷部１５において表面に印刷（記録）処理が施されるとともに、表面に印刷が施された部分が切断部１６で切断される。そして、切断されたシートＳの先端側の部分はカットシートＣＳ（単票の記録媒体）とされて、第２印刷部１７で裏面に印字（記録）処理が施された後、排紙部１２ａに排紙されるようになっている。
【００２３】
次に、搬送装置１４について説明する。
搬送装置１４は、シートＳを挟持しつつ搬送方向Ｘに搬送する複数の搬送ローラー対２０（２０Ａ，２０Ｂ，２０Ｃ，２０Ｄ）と、搬送モーター２１（図２参照）と、搬送経路形成部材２２とを備えている。各搬送ローラー対２０（２０Ａ，２０Ｂ，２０Ｃ，２０Ｄ）は、それぞれ搬送経路ＴＲを挟んだ一方側（図１では下側）に配置された駆動ローラー２４と、搬送経路ＴＲの他方側（図１では上側）に配置された従動ローラー２５とを備えている。
【００２４】
図２に示すように、搬送モーター２１の出力軸には、該出力軸の回転速度、回転位置及び回転方向を検出するためのロータリーエンコーダー２６と、動力伝達切換装置２７とが設けられている。動力伝達切換装置２７は、搬送モーター２１の動力伝達経路を所定の接続先に接続するように構成されている。
【００２５】
図１に示すように、搬送ローラー対２０Ａは保持部１３と第１印刷部１５との間に配置されている。また、搬送ローラー対２０Ｂは切断部１６と第２印刷部１７との間に配置されている。また、搬送ローラー対２０Ｃは第２印刷部１７と乾燥装置１８との間に配置されている。また、搬送ローラー対２０Ｄは乾燥装置１８とカール矯正部１９との間に配置されている。
【００２６】
次に、第１印刷部１５について説明する。
第１印刷部１５は、搬送経路ＴＲの他方側（図１では上側）に配置された先端検出センサー３０と、ガイド軸３１と、ガイド軸３１に支持されたキャリッジ３２と、キャリッジ３２に支持された噴射ヘッド３３とを備えている。また、第１印刷部１５は、搬送経路ＴＲを挟んだ一方側（図１では下側）に配置された支持部材３４を備えている。
【００２７】
ガイド軸３１は、搬送方向Ｘと交差（略直交）する主走査方向Ｙ（シートＳの幅方向）に沿って延びるように本体ケース１２に架設されている。また、キャリッジ３２は、ガイド軸３１に案内されつつ主走査方向Ｙに沿って往復移動するようになっている。
【００２８】
支持部材３４は、上面側に設けられた支持部３５で搬送されるシートＳを支持するようになっている。また、支持部材３４の上面側には複数の吸引孔（図示略）が形成されているとともに、支持部材３４には吸引孔を通じてシートＳを吸着するための吸引機構３６が内蔵されている。
【００２９】
噴射ヘッド３３には、液体としてのインクを噴射する複数のノズル３７が設けられている。そして、支持部材３４に支持されたシートＳの表面（図１では上面）に噴射ヘッド３３のノズル３７からインクが噴射されることで、表面印刷が施されるようになっている。なお、本実施形態では、表面印刷として、例えば写真画像など、高画質の画像が形成されるようになっている。
【００３０】
先端検出センサー３０は、制御装置１００と電気的に接続された反射型の光学式センサーで、図示しない光源部と受光部とを有している。先端検出センサー３０は、光源部が下方に向けて出射した光の反射光を受光部が受光して、反射光の強さに応じた電気信号を制御装置１００に出力するようになっている。具体的には、先端検出センサー３０は、シートＳが反射対象となったときに所定の閾値よりも大きいＯＮ値を出力する一方、シートＳが反射対象となっていないときに前記閾値以下となるＯＦＦ値を出力する。したがって、先端検出センサー３０の出力値がＯＦＦ値からＯＮ値に変化することで、搬送方向ＸにおけるシートＳの先端が検出される。
【００３１】
第１印刷部１５では、先端検出センサー３０によってシートＳの先端が検出されると、搬送装置１４によって所定量の紙送りを行って頭出しをした後、表面印刷を開始するようになっている。そして、表面印刷においては、キャリッジ３２の走査毎に主走査方向Ｙが長手方向となる帯状の画像が形成されるようになっている。なお、シートＳは、表面印刷が開始されてからその先端側が切断されるまでは、搬送装置１４によって間欠的に搬送される。そして、表面印刷は、搬送装置１４によるシートＳの間欠搬送の合間に、すなわちシートＳが停止された状態で行われるようになっている。
【００３２】
次に、切断部１６について説明する。
切断部１６は、搬送経路ＴＲを挟んだ一方側（図１では下側）に配置される支持台４０と、搬送経路ＴＲの他方側（図１では上側）に配置される切断手段としてのカッター４１と、カッターモーター４２（図２参照）とを備えている。カッター４１は搬送経路ＴＲ上の切断位置Ｐｃに配置されている。そして、カッター４１は、カッターモーター４２の駆動によって主走査方向Ｙに沿って移動することで、切断位置ＰｃにおいてシートＳを切断する。そして、搬送方向Ｘが長手方向となる長尺状のシートＳは、搬送方向Ｘの下流側となる表面印刷が施された先端側の一部分が切断されると、切断された先端側の部分が単票のカットシートＣＳ（記録媒体）となる。
【００３３】
シートＳの切断は、搬送装置１４によるシートＳの搬送を停止させ、上流側を支持部材３４の吸引機構３６で保持する一方、下流側を搬送ローラー対２０Ｂで保持した状態で行われる。なお、本実施形態においては、切断位置Ｐｃよりも上流側の部分に対して表面印刷を行うための停止タイミングに合わせて、シートＳの切断を行うようになっている。そして、切断されたカットシートＣＳは、搬送ローラー対２０Ｂから搬送ローラー対２０Ｃに受け渡されるとともに、下流側へ向けて停止されることなく連続的に搬送される。
【００３４】
次に、第２印刷部１７について説明する。
第２印刷部１７は、搬送経路ＴＲの一方側（図１では下方）に、記録手段としての印字ヘッド４５と、記録媒体検出手段としての用紙検出センサー４６と、回転ローラー４７と、インクを含浸させた無端状のインクリボン４８とを備えている。また、第２印刷部１７は、搬送経路ＴＲを挟んだ印字ヘッド４５の他方側（図１では上側）に配置されるプラテン４９を備えている。
【００３５】
インクリボン４８は、回転ローラー４７の回転によって、印字ヘッド４５とプラテン４９との間に搬送される。そして、記録位置Ｐｄにおいて印字ヘッド４５を突出させて、搬送装置１４によって搬送されるカットシートＣＳの裏面にインクリボン４８を押し当てることで、整理番号などが印字（記録）が施されるようになっている。なお、記録位置Ｐｄは、搬送方向Ｘにおいて切断位置Ｐｃよりも下流側に配置されている。
【００３６】
用紙検出センサー４６は、制御装置１００と電気的に接続された反射型の光学式センサーで、図示しない光源部と受光部とを有している。また、用紙検出センサー４６は、搬送方向Ｘにおいて記録位置Ｐｄよりも下流側となる検出位置Ｐｓにおいて、光源部が上方に向けて出射した光の反射光を受光部が受光して、反射光の強さに応じた電気信号を制御装置１００に出力する。具体的には、用紙検出センサー４６は、シートＳ（カットシートＣＳ）が反射対象となったときに所定の閾値よりも大きいＯＮ値を出力するようになっている。そして、第２印刷部１７では、用紙検出センサー４６によってシートＳの有無が検出されるとともに、切断部１６によってシートＳの切断が行われた後に、裏面印字を開始するようになっている。
【００３７】
次に、乾燥装置１８について説明する。
乾燥装置１８は、ヒーター５０と、送風ファン５１と、ファンモーター５２（図２参照）とを備えて、搬送経路形成部材２２の一面側（図１では上側）に配置されている。そして、送風ファン５１がヒーター５０によって加熱された空気をカットシートＣＳの表面側に向けて送風することで、カットシートＣＳの表面に付着したインクの乾燥が促進される。
【００３８】
次に、カール矯正部１９について説明する。
カール矯正部１９は、搬送モーター２１の駆動に伴って回転される搬送ローラー５５，５６と、デカールローラー５７とを備えている。デカールローラー５７は、搬送ローラー５６との間にカットシートＣＳを挟持して、搬送ローラー５５との間でカットシートＣＳを屈曲させることで、カットシートＣＳのカール（巻きぐせ）を矯正する（デカールする）ようになっている。
【００３９】
次に、プリンター１１の電気的構成について説明する。
図２に示すように、プリンター１１の制御装置１００はインターフェイスＩＦを備え、ユーザーによる操作パネルＰＮの操作結果に関する操作情報がインターフェイスＩＦを介して入力されるようになっている。なお、プリンター１１は、インターフェイスＩＦを介して、図示しないホスト装置との間で印刷データなどの各種情報を送受信可能とされている。
【００４０】
また、制御装置１００は、制御手段としてのコンピューター１０１と、ヘッド駆動回路１０２，１０３と、モーター駆動回路１０４，１０５，１０６と、ヒーター駆動回路１０７とを備えている。コンピューター１０１は、バス１０８を介して、ヘッド駆動回路１０２，１０３、モーター駆動回路１０４，１０５，１０６及びヒーター駆動回路１０７に電気的に接続されている。
【００４１】
コンピューター１０１は、ＡＳＩＣ１０９（Ａｐｐｌｉｃａｔｉｏｎ  Ｓｐｅｃｉｆｉｃ  ＩＣ（特定用途向けＩＣ））、ＣＰＵ１１０、ＲＯＭ１１１、ＲＡＭ１１２、不揮発性メモリー１１３を備えている。ＲＯＭ１１１には、各種制御プログラム及び各種データなどが記憶されている。不揮発性メモリー１１３には、ファームウェアプログラムを始めとする各種プログラム及び印刷処理に必要な各種データなどが記憶されている。ＲＡＭ１１２には、ＣＰＵ１１０によって実行されるプログラムデータや、ＣＰＵ１１０による演算結果及び処理結果である各種データ、並びにＡＳＩＣ１０９で処理された各種データなどが一時記憶される。
【００４２】
コンピューター１０１は、ＣＰＵ１１０がＲＯＭ１１１等に記憶されたプログラムを実行することで、各種の制御を行う。例えば、コンピューター１０１は、ヘッド駆動回路１０２を介して噴射ヘッド３３を制御するとともに、ヘッド駆動回路１０３を介して印字ヘッド４５を制御する。また、コンピューター１０１は、モーター駆動回路１０５，１０４，１０６を介してそれぞれ搬送モーター２１、カッターモーター４２、ファンモーター５２を制御するとともに、ヒーター駆動回路を介してヒーター５０を制御する。なお、コンピューター１０１は、ロータリーエンコーダー２６からの検出信号に基づいて、搬送モーター２１の駆動を制御するようになっている。
【００４３】
次に、プリンター１１における記録処理について説明する。
プリンター１１では、第１印刷部１５において、長尺状のシートＳの表面に対してシートＳの長手方向（搬送方向Ｘ）に間隔（余白）をあけつつ複数の画像を印刷するとともに、余白部分でシートＳの先端側を順次切断していくことで、所定のプリントサイズの写真印刷を行うようになっている。
【００４４】
ところで、プリンター１１においては、シートＳがうまく切断されなかったり、切断によってカットシートＣＳに巻きぐせが現われたりして紙詰まりが生じることがある。そして、このような搬送不良が生じた状態で裏面印字を行うと空打ちが生じ、インクリボン４８がプラテン４９に押しつけられて、プラテン４９やその後に搬送されてくるシートＳが汚染されてしまうおそれがある。そのため、プリンター１１においては、用紙検出センサー４６によってシートＳが検出位置Ｐｓ及び記録位置Ｐｄまで搬送されたことを確認した上で、裏面印字を開始するようになっている。
【００４５】
次に、コンピューター１０１が実行する記録処理ルーチンについて、図３に示すフローチャートに基づき説明する。
まず、ステップＳ１１では、コンピューター１０１が、長尺状のシートＳの表面に印刷を実行して、ステップＳ１２に進む。
【００４６】
ステップＳ１２では、コンピューター１０１が、カッター４１に搬送経路ＴＲ上の切断位置Ｐｃにおいて、搬送方向Ｘが長手方向となる長尺状のシートＳにおける搬送方向Ｘの下流側となる先端側の一部を切断させる（切断ステップ）。
【００４７】
ステップＳ１３では、コンピューター１０１が、シートＳの切断が完了したか否かを判断する。そして、シートＳの切断が完了していない場合には同判断を繰り返す一方、シートＳの切断が完了している場合には、ステップＳ１４に進む。
【００４８】
ステップＳ１４では、コンピューター１０１が搬送装置１４に単票となったカットシートＣＳの搬送経路ＴＲに沿う搬送を開始させ（搬送ステップ）、ステップＳ１５に進む。
ステップＳ１５では、コンピューター１０１が、カットシートＣＳの搬送量Ｌが予め規定された閾値Ｌａ以上になったか否かを判断する。そして、カットシートＣＳの搬送量Ｌが閾値Ｌａ未満であった場合には同判断を繰り返す一方、カットシートＣＳの搬送量Ｌが閾値Ｌａ以上であった場合には、ステップＳ１６に進む。なお、閾値Ｌａは、カットシートＣＳが裏面印字を開始する位置に到達したことを判断するための搬送量として予め実験等に基づいて規定し、ＲＯＭ１１１などに記憶させておくことができる。
【００４９】
ステップＳ１６では、コンピューター１０１が、用紙検出センサー４６の出力信号に基づいて、検出位置ＰｓにおけるシートＳの有無を判断する。すなわち、用紙検出センサー４６は、切断部１６が切断を行った後に、単票となったカットシートＣＳの検出を行う（検出ステップ）。そして、コンピューター１０１は、用紙検出センサー４６が、シートＳがあることを示すＯＮ値を出力した場合にはステップＳ１７に進む一方、用紙検出センサー４６がＯＮ値を出力しなかった場合にはステップＳ１８に進む。
【００５０】
ステップＳ１７では、コンピューター１０１が、第２印刷部１７に裏面印字を実行させ、カットシートＣＳの裏面に印字が施されると（記録ステップ）、処理を終了する。すなわち、検出位置Ｐｓは搬送方向Ｘにおいて記録位置Ｐｄよりも下流側にあるため、ステップＳ１６でシートＳが検出されれば、そのシートＳは確実に記録位置Ｐｄまで搬送されているといえる。したがって、コンピューター１０１が用紙検出センサー４６の検出結果に基づいて第２印刷部１７を制御し、用紙検出センサー４６により検出位置ＰｓにカットシートＣＳがあることが検出された場合に、記録位置Ｐｄで第２印刷部１７に記録を開始させる。これにより、空打ちすることなく裏面印字が行われる。
【００５１】
一方、ステップＳ１８では、コンピューター１０１が操作パネルＰＮ等を通じてエラー表示を行う。ここで、図４（ａ）に示すように、切断位置Ｐｃと検出位置Ｐｓとの離間距離をＬｄ、カットシートＣＳの搬送方向Ｘに沿う最短長さをＬｐ（ｍｉｎ）、Ｌｐ（ｍｉｎ）＜Ｌｄ、Ｌｄ―Ｌｐ（ｍｉｎ）＝Ｌｂとする。すると、シートＳを切断した時点では、カットシートＣＳ（同図中に点線で示す）の先端は検出位置Ｐｓに到達していないので、用紙検出センサー４６によって検出されない。また、シートＳの切断が行われた後、搬送距離Ｌｂの搬送を行えば、カットシートＣＳは検出位置Ｐｓに到達するはずである。したがって、ステップＳ１６でカットシートＣＳが検出されなかったときには、搬送不良（紙詰まり）が生じていると考えられる。そこで、ステップＳ１８では、エラー報知によって搬送不良が生じている旨をユーザーに報知する。
【００５２】
なお、ステップＳ１５の判定で用いられる閾値Ｌａは、Ｌｄ＞Ｌａ≧Ｌｂとするのが好ましい。これにより、Ｌｐ＜Ｌｄの場合には、カットシートＣＳの搬送量Ｌが、離間距離ＬｄとカットシートＣＳの長さＬｐとの差（Ｌｄ−Ｌｐ）以上になったときに、コンピューター１０１が用紙検出センサー４６の検出結果に基づいて、検出位置ＰｓにカットシートＣＳがあるか否かを判断する。例えば、Ｌｄ＝９４ｍｍ、Ｌｐ（ｍｉｎ）＝８８．９ｍｍ（３．５インチ）とすると、Ｌｂ＝Ｌｄ―Ｌｐ（ｍｉｎ）＝５．１ｍｍとなる。したがって、Ｌｄ＞Ｌａ≧Ｌｂとなる値として、例えばＬａ＝８．８ｍｍとすることができる。
【００５３】
一方、図５（ａ）に示すように、カットシートＣＳの長さＬｐ≧Ｌｄの場合には、切断を行う前にシートＳ（同図中に点線で示す）の先端が検出位置Ｐｓに到達しうる。したがって、Ｌｐ≧Ｌｄの場合には、先に用紙検出センサー４６によって切断前のシートＳを検出しておき、その後シートＳを切断したことを契機として裏面印字を開始することもできる。
【００５４】
また、図４（ｂ）及び図５（ｂ）に示すように、カットシートＣＳの裏面印字においては、その先端側に搬送方向Ｘにおける長さがＬｗの余白領域ＷＳが設けられるとともに、後端側に印字が施される記録領域ＰＡ（各図中において二点鎖線で囲む部分）が設定される。なお、図４（ｂ）及び図５（ｂ）においては、記録領域ＰＡに印字される数字（整理番号「１２３４」）を点線で図示している。
【００５５】
したがって、切断位置Ｐｃと記録位置Ｐｄとの離間距離をＬｅ（図４（ａ）及び図５（ａ）参照）とすると、裏面に対する印字は、カットシートＣＳの長さにかかわらず、カットシートＣＳの後端側からの距離がＬｃ＝Ｌｅ−Ｌａとなる位置から開始される。そして、搬送方向Ｘにおいて、記録位置Ｐｄから検出位置Ｐｓまでの距離Ｌｆ（図４（ａ）及び図５（ａ）参照）は、カットシートＣＳの先端側に設けられる余白領域ＷＳの長さＬｗよりも短くなっている。すなわち、用紙検出センサー４６は、Ｌｗ＞Ｌｆ＞０となる位置に配置される。
【００５６】
上記実施形態によれば、以下のような効果を得ることができる。
（１）シートＳの切断（切断ステップ）によって搬送不良が発生すると、検出位置ＰｓにシートＳが到達せず、用紙検出センサー４６（検出ステップ）によってシートＳが検出されないので、用紙検出センサー４６（検出ステップ）の検出結果に基づいてシートＳの搬送不良を検出することができる。また、記録位置Ｐｄは検出位置Ｐｓよりも搬送方向Ｘの上流側に位置するので、検出位置ＰｓにシートＳがあることが検出された場合には、記録ステップで空打ちすることなく、シートＳに記録を施すことができる。したがって、切断により単票とされるカットシートＣＳの搬送不良が生じた状態で印字（記録）動作が実行されるのを抑制することができる。
【００５７】
（２）用紙検出センサー４６はカッター４１が切断を行った後に検出を行うので、コンピューター１０１は、搬送方向ＸにおけるカットシートＣＳの長さにかかわらず、カットシートＣＳの検出を契機として記録（裏面印字）を開始させることができる。例えば、搬送方向Ｘにおいて、カットシートＣＳの長さＬｐが切断位置Ｐｃと検出位置Ｐｓとの離間距離Ｌｄ以上の長さである場合（Ｌｐ≧Ｌｄ）には、シートＳは切断前であっても用紙検出センサー４６によって検出されうる。しかし、カットシートＣＳの長さＬｐが切断位置Ｐｃと検出位置Ｐｓとの離間距離Ｌｄよりも短い場合（Ｌｐ＜Ｌｄ）には、シートＳの切断時に、単票となったカットシートＣＳは用紙検出センサー４６によって検出されない。したがって、カッター４１の切断後に単票となったカットシートＣＳの検出を行うようにすれば、カットシートＣＳの長さにかかわらず、同様の制御で印字ヘッド４５に裏面印字を開始させることができる。
【００５８】
（３）単票となったカットシートＣＳの搬送量Ｌが、離間距離ＬｄとカットシートＣＳの長さＬｐとの差以上になってもカットシートＣＳが検出されなければ、搬送不良が生じていると判断して印字ヘッド４５の記録動作を中止させることができる。したがって、搬送方向Ｘにおいて切断位置Ｐｃと検出位置Ｐｓとの離間距離ＬｄよりもカットシートＣＳの長さＬｐが短い場合（Ｌｐ＜Ｌｄ）にも、カットシートＣＳの搬送不良が生じた状態で印字（記録）動作が実行されるのを抑制することができる。
【００５９】
（４）記録位置Ｐｄから検出位置Ｐｓまでの距離Ｌｆが余白領域ＷＳの長さＬｗよりも短い（Ｌｗ＞Ｌｆ）ので、検出位置ＰｓでシートＳが検出された後に、検出位置Ｐｓから上流側に離間した記録位置Ｐｄで記録を開始しても、記録領域ＰＡの先端側から記録（印字）を行うことができる。
【００６０】
なお、上記実施形態は以下のように変更してもよい。
・切断手段は、搬送経路ＴＲの両側に切断用の刃部が設けられるものなど、任意の形状のものを採用することができる。また、搬送手段についても、搬送ローラー対でシートＳを挟持して搬送するものに限らず、吸引ベルトでシートＳを吸引して搬送するものなど、任意の搬送方式を採用することができる。
【００６１】
・搬送装置１４は、上述した以外の搬送ローラー対等を追加的に備えても良いし、上述した構成要素の一部を省略してもよい。
・搬送経路ＴＲは平面状（側面視直線状）に図示されているが、この限りではなく、曲面状（側面視曲線状）など、任意の形状に変更することができる。
【００６２】
・プリンター１１は、第１印刷部１５、乾燥装置１８及びカール矯正部１９を備えなくてもよい。この場合には、シートＳを切断してカットシートＣＳとした後、第２印刷部１７でカットシートＣＳに表面印刷を施すようにしてもよい。
【００６３】
・カットシートＣＳは、縦横比の規定されたプリントサイズに限らず、例えば任意の長さの長尺状にカットしてもよい。
・エラーを報知する手段は、エラー音やランプの点滅などによって行ってもよい。
【００６４】
・表面への印刷（記録）は、写真印刷に限らず、ラベル印刷や普通用紙への印刷など、任意の記録に変更することができる。また、裏面への印字（記録）についても、同様に任意の記録に変更することができる。
【００６５】
・上記実施形態では、記録装置の表面に印刷する方式としてインクジェット方式を採用するとともに裏面に印刷する方式としてドットインパクト方式を採用したが、この限りではなく、表面又は裏面に印刷（記録）する方式として、電子写真方式や熱転写方式など、任意の方式を採用することができる。また、記録装置はプリンターに限らず、ＦＡＸ装置、コピー装置、あるいはこれら複数機能を備えた複合機等であってもよい。さらに、記録装置として、インク以外の他の液体の微小量の液滴を噴射したり吐出したりする液体噴射ヘッド等を備える液体噴射装置を採用してもよい。なお、液滴とは、上記液体噴射装置から吐出される液体の状態をいい、粒状、涙状、糸状に尾を引くものも含むものとする。また、ここでいう液体とは、液体噴射装置が噴射させることができるような材料であればよい。例えば、物質が液相であるときの状態のものであればよく、粘性の高い又は低い液状体、ゾル、ゲル水、その他の無機溶剤、有機溶剤、溶液、液状樹脂、液状金属（金属融液）のような流状態、また物質の一状態としての液体のみならず、顔料や金属粒子などの固形物からなる機能材料の粒子が溶媒に溶解、分散又は混合されたものなどを含む。また、液体の代表的な例としては上記実施形態で説明したようなインクや液晶等が挙げられる。ここで、インクとは一般的な水性インク及び油性インク並びにジェルインク、ホットメルトインク等の各種液体組成物を包含するものとする。液体噴射装置の具体例としては、例えば液晶ディスプレイ、ＥＬ（エレクトロルミネッセンス）ディスプレイ、面発光ディスプレイ、カラーフィルタの製造などに用いられる電極材や色材などの材料を分散又は溶解のかたちで含む液体を噴射する液体噴射装置、バイオチップ製造に用いられる生体有機物を噴射する液体噴射装置、精密ピペットとして用いられ試料となる液体を噴射する液体噴射装置、捺染装置やマイクロディスペンサ等であってもよい。また、本明細書において、「空打ち」とは、記録を施すべき記録媒体が記録位置に搬送されていない状態で記録動作（例えば、液体噴射装置においては液体の噴射）を実行してしまうことをいう。
【符号の説明】
【００６６】
１１…記録装置としてのプリンター、１４…搬送手段としての搬送装置、４１…切断手段としてのカッター、４５…記録手段としての印字ヘッド、４６…記録媒体検出手段としての用紙検出センサー、１０１…制御手段としてのコンピューター、ＣＳ…単票の記録媒体としてのカットシート、Ｌ…搬送量、Ｘ…搬送方向、Ｌａ…閾値、Ｌｄ…離間距離、Ｌｆ…記録位置から検出位置までの距離、Ｌｐ…単票の長さ、Ｌｗ…余白領域の長さ、Ｐｃ…切断位置、Ｐｄ…記録位置、Ｐｓ…検出位置、ＰＡ…記録領域、Ｓ…記録媒体としてのシート、ＴＲ…搬送経路、ＷＳ…余白領域。
【図１】
2012025074.tif 000003
【図２】
2012025074.tif 000004
【図３】
2012025074.tif 000005
【図４】
2012025074.tif 000006
【図５】
2012025074.tif 000007